(57)【要約】  移動端末のコイル装置であって、平面スパイラルに移動端末の背面カバーの内側に嵌め込まれる金属コイルと、前記金属コイル及び無線充電チップと信号受信チップに接続されたアナログスイッチとを含む。本発明の実施例は、周波数変調信号を受信するアンテナと無線充電コイルとを組み合わせ、同一組の金属コイルを利用して、該金属コイルを移動端末の背面カバーの内側に嵌め込み、コイル面積を増大するとともにコイルの長さを長くし、同時に無線充電の効率と周波数変調信号の受信性能を向上させる。【選択図】図１
2016514938.tif 000002
【特許請求の範囲】
【請求項１】
金属コイルと、
前記金属コイルと無線充電チップ及び信号受信チップとに接続されたアナログスイッチと、を含む移動端末のコイル装置。
【請求項２】
前記金属コイルが平面スパイラル状で移動端末の背面カバーの内側に嵌め込まれる請求項1に記載の装置。
【請求項３】
前記金属コイルと前記アナログスイッチとの間に接続されたコイル接続装置を更に含む請求項2に記載のコイル装置。
【請求項４】
前記アナログスイッチは第1アナログスイッチと第2アナログスイッチを含む請求項1に記載のコイル装置。
【請求項５】
前記第1アナログスイッチと前記第2アナログスイッチの入力端はそれぞれ前記コイル接続装置を介して前記金属コイルの両端に接続され、前記第1アナログスイッチと前記第2アナログスイッチの第1出力端は無線充電チップの両端にそれぞれ接続され、前記第1アナログスイッチの第2出力端は信号受信チップの一端に接続され、前記第2アナログスイッチの第2出力端は接地され、前記第1アナログスイッチと前記第2アナログスイッチのイネーブル端はベースバンド処理チップにそれぞれ接続される請求項4に記載のコイル装置。
【請求項６】
前記コイル接続装置は、
前記金属コイルの両端にそれぞれ設置された第1金属コンタクト及び第2金属コンタクトと、
移動端末のPCBマザーボードにおいて前記第1金属コンタクト及び前記第2金属コンタクトに対応する位置にそれぞれ設置された第1メタルドーム及び第2メタルドームと、を含む請求項3に記載のコイル装置。
【請求項７】
前記第1金属コンタクトと前記第2金属コンタクトはそれぞれ移動端末の背面カバーの内側の前記金属コイルの両端に嵌め込まれる請求項6に記載のコイル装置。
【請求項８】
前記信号受信チップはFMラジオチップ又はNFCチップ又はデジタルテレビチップである請求項1に記載のコイル装置。
【発明の詳細な説明】
【技術分野】
【０００１】
本発明は移動端末分野に関し、特に移動端末のコイル装置に関する。
【背景技術】
【０００２】
無線充電技術とは、電磁誘導原理、及び関連の交流誘導技術を用いて、送信端と受信端で対応するコイルにより誘導が発生する交流信号を送受信して充電する技術である。現在、一般的なものは電磁誘導式無線充電である。その原理は、充電器の一側に一次コイルを設置し、一次コイルに特定の周波数の交流電流を加えて、電磁誘導により二次コイルに一定の電流が発生することにより、エネルギーを伝送端から受信端に転移することにある。一、二次コイルの大きさの差が小さいほど、エネルギーの伝達消耗が小さくなり、無線充電の効率が高くなる。無線充電器での一次コイルが大きく、二次コイルを移動端末のどの位置に設置すれば一、二次コイルの大きさの差を小さくさせるかについて、知能移動端末で二次コイルを置くための位置を設置する必要がある。
【０００３】
一方、FMラジオが無線端末、特に携帯電話での応用はますます多くなる。FMブロードキャストの周波数帯が一般的に80MHz〜110MHzであるので、FMラジオのアンテナに対して一般的に70センチ〜1メートルを要求する。このような長いアンテナを、無線端末のPCBボードに設置することは実現できない。従来の方法はヘッドフォンケーブルをFMラジオのアンテナとするが、このような場合には、ヘッドホンを挿し込まないと、FMラジオの機能を利用することができず、このように不便な点を引き起こす。
【発明の概要】
【発明が解決しようとする課題】
【０００４】
本発明の目的は移動端末のコイル装置を提供することであり、無線充電コイルとFMラジオアンテナとを組み合わせて、同一組の金属コイルを利用して、それを移動端末の背面カバーに置く。即ち、無線充電コイルとするとともに、FMブロードキャストのアンテナを多重化し、このように無線充電効率を向上させるとともに、機能多重化を達成し、コストを節約する。
【課題を解決するための手段】
【０００５】
本発明の一様態によれば、移動端末のコイル装置を提供し、
金属コイルと、
前記金属コイルと無線充電チップ及び信号受信チップとに接続されたアナログスイッチと、を備える。
【０００６】
好ましくは、前記金属コイルは平面スパイラルに移動端末の背面カバーの内側に嵌め込まれる。
【０００７】
好ましくは、前記金属コイルと前記アナログスイッチとの間に接続されたコイル接続装置を更に含む。
【０００８】
好ましくは、前記アナログスイッチは第1アナログスイッチと第2アナログスイッチを含む。
【０００９】
好ましくは、前記第1アナログスイッチと前記第2アナログスイッチの入力端はそれぞれ前記コイル接続装置を介して前記金属コイルの両端に接続され、前記第1アナログスイッチと前記第2アナログスイッチの第1出力端はそれぞれ無線充電チップの両端に接続され、前記第1アナログスイッチの第2出力端は信号受信チップの一端に接続され、前記第2アナログスイッチの第2出力端が接地し、前記第1アナログスイッチと前記第2アナログスイッチのイネーブル端はそれぞれベースバンド処理チップに接続される。
【００１０】
好ましくは、前記コイル接続装置は、
前記金属コイルの両端にそれぞれ設置された第1金属コンタクトと第2金属コンタクトと、
移動端末のPCBマザーボードにおいて前記第1金属コンタクトと前記第2金属コンタクトと対応する位置にそれぞれ設置された第1メタルドームと第2メタルドームと、を含む。
【００１１】
好ましくは、前記第1金属コンタクトと前記第2金属コンタクトは移動端末の背面カバーの内側の前記金属コイルの両端にそれぞれに嵌め込まれる。
【００１２】
好ましくは、前記信号受信チップはFMラジオチップ、又は近距離無線通信（Near Field Communication、NFC）チップ、又はデジタルテレビチップである。
【発明の効果】
【００１３】
従来の技術と比べて、本発明の実施例の有益な効果は以下のとおりである。
【００１４】
本発明の実施例はFMラジオのアンテナと無線充電コイルとを組み合わせて、同一組の金属コイルを利用する。該金属コイルを背面カバーに嵌め込んで、コイル面積を増大するとともにコイルの長さを長くし、同時に無線充電の効率とFMラジオの信号受信性能を向上させ、コストを節約する。
【００１５】
以下、図面を参照しながら本発明の構造及び原理を詳しく説明する。
【図面の簡単な説明】
【００１６】
【図１】図1は本発明の実施例による移動端末のコイル装置の模式図である。
【図２】図2は本発明の実施例による移動端末の全体構造模式図である。
【図３】図3は本発明の実施例による移動端末の係合カバーの平面模式図である。
【図４】図4は本発明の実施例による充電とFMラジオの切り替え模式図である。
【発明を実施するための形態】
【００１７】
以下、図面を参照しながら本発明の好ましい実施例を詳しく説明し、理解すべきは、以下に説明する好ましい実施例はただ本発明を説明して解釈するためのものだけで、本発明を限定するためのものではないことである。
【００１８】
図1は本発明による移動端末のコイル装置の模式図を示す。図1に示すように、金属コイル101と、前記金属コイル及び無線充電チップと信号受信チップに接続されたアナログスイッチ102とを含む。前記金属コイル101は平面スパイラルに移動端末の背面カバーの内側に嵌め込まれる。
【００１９】
前記信号受信チップはFMラジオチップ又はNFCチップ又はデジタルテレビチップである。
【００２０】
本発明は前記金属コイル101と前記アナログスイッチ102との間に接続されたコイル接続装置103を更に含む。
【００２１】
前記アナログスイッチ102は第1アナログスイッチ1021と第2アナログスイッチ1022を含む。前記第1アナログスイッチと前記第2アナログスイッチの入力端はそれぞれ前記コイル接続装置103を介して前記金属コイル101の両端に接続され、前記第1アナログスイッチと前記第2アナログスイッチの第1出力端は無線充電チップの両端にそれぞれ接続され、その前記金属コイル101を二次コイルとし、移動端末の電池に充電し、前記第1アナログスイッチの第2出力端は信号受信チップの一端に接続され、前記第2アナログスイッチの第2出力端が接地し、その前記金属コイル101をアンテナとし、それにより信号受信チップが周波数変調信号を受信し、前記第1アナログスイッチと前記第2アナログスイッチのイネーブル端はベースバンド処理チップにそれぞれ接続され、前記第1アナログスイッチと前記第2アナログスイッチの切り替えを制御することに用いられる。
【００２２】
前記コイル接続装置103は、前記金属コイル101の両端にそれぞれ設置された第1金属コンタクトと第2金属コンタクトと、移動端末のPCBマザーボードにおいて前記第1金属コンタクトと前記第2金属コンタクトと対応する位置にそれぞれ設置された第1メタルドームと第2メタルドームと、を含む。
【００２３】
具体的には、前記第1金属コンタクトと前記第2金属コンタクトは移動端末の背面カバーの内側の前記金属コイル101の両端にそれぞれ嵌め込まれる。
【００２４】
図2は本発明の実施例による移動端末の全体構造模式図を示す。図2に示すように、金属コイル3、コイル金属接点4及びPCBボードでのメタルドーム6を主に含む。前記金属コイル3は平面スパイラルに巻き回し、嵌め込み型で移動端末の背面カバーの内側2に取り付けられる。そして、金属コイル3の両端が金属接点4に接続され、前記金属接点4も同様に移動端末の背面カバーの内側2に嵌め込まれ、移動端末PCBのマザーボード5に2つのメタルドーム6が取り付けられ、移動端末の背面カバー1が移動端末にカバーされる際、金属接点4はメタルドーム6にプレスされることにより、無線充電コイルを充電回路及びアンテナにより周波数変調信号を受信する信号受信回路と連通させる。
【００２５】
図3は、本発明の実施例による移動端末の係合カバーの平面模式図を示す。図3に示すように、金属コイル3を平面スパイラルに巻き回し、移動端末の係合カバーの背面の内側2に嵌め込まれ、コイルの2つのコネクタに金属接点4がそれぞれ接続される。
【００２６】
図4は本発明の実施例による充電とFMラジオの切り替えの回路図を示す。図4に示すように、第1アナログスイッチ11と第2アナログスイッチ12はベースバンド処理チップ15で制御され、金属コイル10の接続通路を切り替えることに用いられる。第1アナログスイッチ11と第2アナログスイッチ12は充電管理チップ14にデフォルトで接続され、金属コイル10を二次コイルとし、電池16に充電することに用いられる。ユーザはFMラジオ機能をオンする場合、ベースバンド処理チップ15は第1アナログスイッチ11と第2アナログスイッチ12を制御することにより金属コイル10の接続通路を切り替え、第1アナログスイッチ11がFMラジオチップ13に接続され、第2アナログスイッチ12が接地し、金属コイル10をFMラジオのアンテナとし、FMラジオの信号を受信することに用いられる。
【００２７】
即ち、金属コイルとFMラジオチップ及び充電管理チップが接続された通路にアナログスイッチを加え、ベースバンド処理チップで制御され、切り替えることに用いられる。デフォルト状態で、アナログスイッチを金属コイルと充電管理チップが接続されるように制御し、金属コイルを二次コイルとして電池に充電することに用いられ、ユーザがFMラジオ機能をオンする場合、ベースバンドチップがアナログスイッチを制御し、金属コイルとFMラジオチップを接続し、この際、金属コイルをアンテナとして使用する。
【００２８】
本発明の実施例は金属コイルの面積を拡大するために、金属コイルを平面スパイラルに移動端末の背面カバーに嵌め込んで、金属コイルの2つのコネクタにそれぞれ金属コンタクトを加え、同時に、PCBマザーボードで、同じ位置にメタルドームを加え、メタルドームにより金属コンタクトと接続される。PCBマザーボードでのメタルドームはケーブル配線により無線充電チップと信号受信チップに接続される。
【００２９】
以上に本発明を詳しく説明したが、本発明を限定するためのではない。当業者は本発明の原理により様々な修正を行うことができる。このため、本発明の原理による修正は、いずれも本発明の保護範囲に属すると理解されるべきである。
【産業上の利用可能性】
【００３０】
以上のように、本発明の実施例は以下の技術効果を有する。
【００３１】
本発明の実施例は周波数変調信号を受信するアンテナと無線充電二次コイルとを組み合わせ、同一組の金属コイルを利用する。且つ該金属コイルを背面カバーの内側に嵌め込み、金属コイルの面積を増大するとともに金属コイルの長さを長くし、同時に無線充電の効率と周波数変調信号を受信する受信性能を向上させ、コストを節約する。
【図１】
2016514938.tif 000003
【図２】
2016514938.tif 000004
【図３】
2016514938.tif 000005
【図４】
2016514938.tif 000006
【国際調査報告】
2016514938.tif 000007
2016514938.tif 000008
2016514938.tif 000009
2016514938.tif 000010
2016514938.tif 000011
2016514938.tif 000012